(57)【特許請求の範囲】
【請求項１】
燃料ガスを燃焼させるバーナーと、暖房対象空間の空気を取り入れ、その取り入れた空気と前記バーナーの燃焼ガスとを混合して前記暖房対象空間に吹き出すように通風作用する燃焼式暖房用送風機とを有する燃焼式暖房部、及び、前記暖房対象空間の空気を取り入れ、その取り入れた空気を前記暖房対象空間に吹き出すように通風作用する電気式暖房用送風機と、当該電気式暖房用送風機により通風される空気を加熱する電気ヒーターとを有する電気式暖房部を有する暖房手段、並びに、
運転を制御する運転制御手段を備えるハイブリッド式ガスファンヒーターであって、
使用者から前記暖房手段の動作に関する指令を受け付ける指令受付手段を備え、
前記運転制御手段は、
前記燃焼式暖房部の動作中に所定のタイミングになると前記燃焼式暖房部の前記バーナーでの単位時間当たりの燃料ガスの消費量を変化させる燃料消費変化処理を実行し、
前記燃料消費変化処理では、当該燃料消費変化処理の実行前後での前記バーナーでの単位時間当たりの燃料ガスの消費量が所定の大小関係を満たし、且つ、当該燃料消費変化処理の実行後での前記暖房手段の暖房出力が当該燃料消費変化処理の実行前での前記暖房手段の前記暖房出力に対して差が５％以内になるように、当該燃料消費変化処理の実行後の前記燃焼式暖房部の燃焼暖房出力及び前記電気式暖房部の電気暖房出力を決定するように構成され、
前記運転制御手段は、前記燃焼式暖房部の連続動作期間が所定の上限連続動作期間に到達する所定時間前に、前記燃焼式暖房部の動作を停止させる自動消火処理を実行する予定である旨の情報を使用者に通知する予告処理を実行し、前記予告処理が実行された後、前記燃焼式暖房部の連続動作期間が前記上限連続動作期間に到達するまでの間に、前記自動消火処理が実行されることを回避する指令を前記指令受付手段が使用者から受け付けることで前記所定のタイミングになったと判定するハイブリッド式ガスファンヒーター。
【請求項２】
前記運転制御手段は、前記燃料消費変化処理において、前記燃焼式暖房部の燃焼暖房出力を低下させると共に前記電気式暖房部の電気暖房出力を上昇させることで、当該燃料消費変化処理の実行後での前記暖房手段の前記暖房出力を、実行前での前記暖房手段の前記暖房出力に対して差が５％以内となる出力にさせる請求項１に記載のハイブリッド式ガスファンヒーター。
【請求項３】
前記運転制御手段は、前記燃料消費変化処理において、前記燃焼式暖房部の燃焼暖房出力を上昇させると共に前記電気式暖房部の電気暖房出力を低下させることで、当該燃料消費変化処理の実行後での前記暖房手段の前記暖房出力を、実行前での前記暖房手段の前記暖房出力に対して差が５％以内となる出力にさせる請求項１に記載のハイブリッド式ガスファンヒーター。
【請求項４】
前記運転制御手段は、
前記予告処理が実行された後、前記燃焼式暖房部の連続動作期間が前記上限連続動作期間に到達するまでの間に、前記自動消火処理が実行されることを回避する指令を前記指令受付手段が使用者から受け付けることで前記所定のタイミングになったと判定すると、前記燃料消費変化処理と前記燃焼式暖房部の連続動作期間が前記上限連続動作期間に到達しても前記自動消火処理を実行しないようにする消火回避処理とを実行し、
前記予告処理が実行された後、前記燃焼式暖房部の連続動作期間が前記上限連続動作期間に到達するまでの間に、前記自動消火処理が実行されることを回避する指令を前記指令受付手段が使用者から受け付けないと、前記燃焼式暖房部の連続動作期間が前記上限連続動作期間に到達したとき、前記燃焼式暖房部の動作を停止させる前記自動消火処理を実行するように構成されている請求項１〜３の何れか一項に記載のハイブリッド式ガスファンヒーター。
【請求項５】
前記運転制御手段は、前記燃料消費変化処理では、当該燃料消費変化処理の実行前後での前記バーナーでの単位時間当たりの燃料ガスの消費量を所定の割合以上変化させることで前記所定の大小関係を満たすように、当該燃料消費変化処理の実行後の前記燃焼式暖房部の燃焼暖房出力及び前記電気式暖房部の電気暖房出力を決定する請求項１〜４の何れか一項に記載のハイブリッド式ガスファンヒーター。
【発明の詳細な説明】
【技術分野】
【０００１】
本発明は、燃料ガスを燃焼させるバーナーと、暖房対象空間の空気を取り入れ、その取り入れた空気とバーナーの燃焼ガスとを混合して暖房対象空間に吹き出すように通風作用する燃焼式暖房用送風機とを有する燃焼式暖房部、及び、暖房対象空間の空気を取り入れ、その取り入れた空気を暖房対象空間に吹き出すように通風作用する電気式暖房用送風機と、当該電気式暖房用送風機により通風される空気を加熱する電気ヒーターとを有する電気式暖房部を有する暖房手段を備えるハイブリッド式ガスファンヒーターに関する。
【背景技術】
【０００２】
ガスファンヒーター等のガス機器は、ガス配管を経由して燃料ガスの供給を受けている。また、ガス配管は屋外に設置されているマイコンメーター（ガスメーター）を経由して、屋外に敷設されているガス導管と接続されている。マイコンメーターにはマイクロコンピューター、感震器、流量計、遮断弁等が内蔵されており、燃料ガスの単位時間当たりの流量や圧力等に異常が発生した場合や、感震器が例えば震度５以上の地震を検知した場合や、ガス機器を消し忘れてしまい燃料ガスが長時間変動なく流れ続けたりしたとき（以下、「継続使用時間オーバー」と記載することもある）などには自動的にガスの供給を遮断する安全機能が搭載されている。
【０００３】
ガスファンヒーターの場合、バーナーへの燃料ガスの単位時間当たりの供給量を調節するための比例弁が搭載されているため、暖房対象空間の温度が目標温度付近で安定すると、バーナーへの燃料ガスの単位時間当たりの供給量がほぼ一定を維持する状態が長時間に渡って継続することもある。その場合、マイコンメーターで上述した「継続使用時間オーバー」と認識されてしまい、消し忘れではないにもかかわらずマイコンメーターが燃料ガスの供給を遮断してしまうことになる。
【０００４】
マイコンメーターで燃料ガスの供給が遮断されると、ガスファンヒーターだけでなく、屋内の全てのガス機器に対する燃料ガスの供給が行われなくなる。そのため、ガスファンヒーターには、燃焼式暖房部の連続動作期間が所定の上限連続動作期間に到達すると、燃焼式暖房部の動作を停止させる自動消火処理を実行する機能が搭載されているものもある。つまり、ガスファンヒーターを自発的に停止させることで、バーナーへの燃料ガスの単位時間当たりの供給量がほぼ一定を維持する状態を解消して、マイコンメーターが「継続使用時間オーバー」と認識しないようにしている。
【０００５】
他にも、特許文献１には、燃料ガスを燃焼させて温水を出力する熱源機と、その熱源機から出力される温水が内部を循環することで周囲を暖房可能な暖房パネルとを備える温水循環式暖房機が記載されている。この温水循環式暖房機では、一定温度と異なる他の温度の温水を要求する、即ち、熱源機における燃料ガスの燃焼量を強制的に変更することで、マイコンメーターが「継続使用時間オーバー」と認識しないようにしている。
【先行技術文献】
【特許文献】
【０００６】
【特許文献１】特許第３７５３５３２号公報
【発明の概要】
【発明が解決しようとする課題】
【０００７】
しかしながら、上述したようなガスファンヒーターで行われる自動消火処理は、マイコンメーターの「継続使用時間オーバー」による燃料ガスの供給遮断を防ぐことはできるが、暖房中にもかかわらずガスファンヒーターの運転を停止してしまうため、使用者が再び運転操作を行うことが必要になるという問題がある。加えて、ガスファンヒーターが一旦暖房運転を停止するため、暖房対象空間の温度が低下するという問題がある。
【０００８】
また、特許文献１に記載の温水循環式暖房機のように、燃料ガスの燃焼量を強制的に変化させてマイコンメーターの「継続使用時間オーバー」によるガス遮断を回避する手法は、熱源機で発生した熱を温水に伝達し、その温水で床を暖めるような床暖房装置であるからこそ有効な手法である。つまり、床暖房装置では、循環している温水や床暖房本体の熱容量が大きいため、発生する燃焼熱の変化が使用者に気付かれる可能性が低くなる点で好ましい。同じ手法をガスファンヒーターで用いた場合、燃料ガスの燃焼量の変化は、直接的に温風温度や送風ファン運転音の変化に現れるため、使用者に気付かれ易く、且つ、そのような運転によって使用者の快適性が損なわれる可能性がある。また、使用者の意思とは無関係に燃料ガスの燃焼量が不意に変化していることに使用者が気付くと、そのような運転が故障と誤認されてしまう可能性もある。
【０００９】
本発明は、上記の課題に鑑みてなされたものであり、その目的は、使用者の快適性を損なうことなく、燃焼式暖房部での燃料ガスの燃焼がマイコンメーターによって「継続使用時間オーバー」と認識されないようにできるハイブリッド式ガスファンヒーターを提供する点にある。
【課題を解決するための手段】
【００１０】
上記目的を達成するための本発明に係るハイブリッド式ガスファンヒーターの特徴構成は、燃料ガスを燃焼させるバーナーと、暖房対象空間の空気を取り入れ、その取り入れた空気と前記バーナーの燃焼ガスとを混合して前記暖房対象空間に吹き出すように通風作用する燃焼式暖房用送風機とを有する燃焼式暖房部、及び、前記暖房対象空間の空気を取り入れ、その取り入れた空気を前記暖房対象空間に吹き出すように通風作用する電気式暖房用送風機と、当該電気式暖房用送風機により通風される空気を加熱する電気ヒーターとを有する電気式暖房部を有する暖房手段、並びに、
運転を制御する運転制御手段を備えるハイブリッド式ガスファンヒーターであって、
使用者から前記暖房手段の動作に関する指令を受け付ける指令受付手段を備え、
前記運転制御手段は、
前記燃焼式暖房部の動作中に所定のタイミングになると前記燃焼式暖房部の前記バーナーでの単位時間当たりの燃料ガスの消費量を変化させる燃料消費変化処理を実行し、
前記燃料消費変化処理では、当該燃料消費変化処理の実行前後での前記バーナーでの単位時間当たりの燃料ガスの消費量が所定の大小関係を満たし、且つ、当該燃料消費変化処理の実行後での前記暖房手段の暖房出力が当該燃料消費変化処理の実行前での前記暖房手段の前記暖房出力に対して差が５％以内になるように、当該燃料消費変化処理の実行後の前記燃焼式暖房部の燃焼暖房出力及び前記電気式暖房部の電気暖房出力を決定するように構成され、
前記運転制御手段は、前記燃焼式暖房部の連続動作期間が所定の上限連続動作期間に到達する所定時間前に、前記燃焼式暖房部の動作を停止させる自動消火処理を実行する予定である旨の情報を使用者に通知する予告処理を実行し、前記予告処理が実行された後、前記燃焼式暖房部の連続動作期間が前記上限連続動作期間に到達するまでの間に、前記自動消火処理が実行されることを回避する指令を前記指令受付手段が使用者から受け付けることで前記所定のタイミングになったと判定する点にある。 
【００１１】
上記特徴構成によれば、運転制御手段は、燃焼式暖房部の動作中に、予告処理が実行された後、燃焼式暖房部の連続動作期間が上限連続動作期間に到達するまでの間に、自動消火処理が実行されることを回避する指令を指令受付手段が使用者から受け付けることで所定のタイミングになったと判定すると、燃焼式暖房部のバーナーでの単位時間当たりの燃料ガスの消費量を変化させる燃料消費変化処理を実行する。この燃料消費変化処理では、燃料消費変化処理の実行前後でのバーナーでの単位時間当たりの燃料ガスの消費量が所定の大小関係を満たすので、ハイブリッド式ガスファンヒーターへ供給される燃料ガスの単位時間当たりの流量もその所定の大小関係を満たした状態で変化する。つまり、マイコンメーターでは、燃料消費変化処理の実行前後で、燃料ガスの単位時間当たりの供給量が所定の大小関係を満たした状態で変化したことを認識できる。従って、この燃料消費変化処理を実行することで、マイコンメーターにおいて「継続使用時間オーバー」と判定されることを回避できる。
【００１２】
加えて、運転制御手段は、燃料消費変化処理の実行後での暖房手段の暖房出力が燃料消費変化処理の実行前での暖房手段の暖房出力に対して差が５％以内になるように、燃料消費変化処理の実行後の燃焼式暖房部の燃焼暖房出力及び電気式暖房部の電気暖房出力を決定する。つまり、燃料消費変化処理を行って燃焼式暖房部のバーナーでの単位時間当たりの燃料ガスの消費量（即ち、燃焼式暖房部での燃焼暖房出力）が変化しても、それに応じて電気式暖房部の電気暖房出力も変化させることで、燃焼式暖房部の燃焼暖房出力と電気式暖房部の電気暖房出力との合計である暖房手段の暖房出力を、燃料消費変化処理の実行後での暖房手段の暖房出力が燃料消費変化処理の実行前での暖房手段の暖房出力に対して差が５％以内になるように抑制できる。
従って、使用者の快適性を損なうことなく、燃焼式暖房部での燃料ガスの燃焼がマイコンメーターによって「継続使用時間オーバー」と認識されないようにできるハイブリッド式ガスファンヒーターを提供できる。
【００１３】
本発明に係るハイブリッド式ガスファンヒーターの別の特徴構成は、前記運転制御手段は、前記燃料消費変化処理において、前記燃焼式暖房部の燃焼暖房出力を低下させると共に前記電気式暖房部の電気暖房出力を上昇させることで、当該燃料消費変化処理の実行後での前記暖房手段の前記暖房出力を、実行前での前記暖房手段の前記暖房出力に対して差が５％以内となる出力にさせる点にある。
【００１４】
上記特徴構成によれば、燃料消費変化処理を行って燃焼式暖房部のバーナーでの単位時間当たりの燃料ガスの消費量（即ち、燃焼式暖房部での燃焼暖房出力）が低下側に変化しても、それに応じて電気式暖房部の電気暖房出力を上昇側に変化させることで、燃焼式暖房部の燃焼暖房出力と電気式暖房部の電気暖房出力との合計である暖房手段の暖房出力を、燃料消費変化処理の実行後での暖房手段の暖房出力が燃料消費変化処理の実行前での暖房手段の暖房出力に対して差が５％以内になるように抑制できる。
【００１５】
本発明に係るハイブリッド式ガスファンヒーターの更に別の特徴構成は、前記運転制御手段は、前記燃料消費変化処理において、前記燃焼式暖房部の燃焼暖房出力を上昇させると共に前記電気式暖房部の電気暖房出力を低下させることで、当該燃料消費変化処理の実行後での前記暖房手段の前記暖房出力を、実行前での前記暖房手段の前記暖房出力に対して差が５％以内となる出力にさせる点にある。
【００１６】
上記特徴構成によれば、燃料消費変化処理を行って燃焼式暖房部のバーナーでの単位時間当たりの燃料ガスの消費量（即ち、燃焼式暖房部での燃焼暖房出力）が上昇側に変化しても、それに応じて電気式暖房部の電気暖房出力を低下側に変化させることで、燃焼式暖房部の燃焼暖房出力と電気式暖房部の電気暖房出力との合計である暖房手段の暖房出力を、燃料消費変化処理の実行後での暖房手段の暖房出力が燃料消費変化処理の実行前での暖房手段の暖房出力に対して差が５％以内になるように抑制できる。
【００１９】
本発明に係るハイブリッド式ガスファンヒーターの更に別の特徴構成は、
前記運転制御手段は、
前記予告処理が実行された後、前記燃焼式暖房部の連続動作期間が前記上限連続動作期間に到達するまでの間に、前記自動消火処理が実行されることを回避する指令を前記指令受付手段が使用者から受け付けることで前記所定のタイミングになったと判定すると、前記燃料消費変化処理と前記燃焼式暖房部の連続動作期間が前記上限連続動作期間に到達しても前記自動消火処理を実行しないようにする消火回避処理とを実行し、
前記予告処理が実行された後、前記燃焼式暖房部の連続動作期間が前記上限連続動作期間に到達するまでの間に、前記自動消火処理が実行されることを回避する指令を前記指令受付手段が使用者から受け付けないと、前記燃焼式暖房部の連続動作期間が前記上限連続動作期間に到達したとき、前記燃焼式暖房部の動作を停止させる前記自動消火処理を実行するように構成されている点にある。
【００２０】
上記特徴構成によれば、運転制御手段は、上記自動消火処理が実行されることを回避する指令を指令受付手段が使用者から受け付けることで上記所定のタイミングになったと判定すると、燃焼式暖房部の連続動作期間が上限連続動作期間に到達しても自動消火処理を実行しないようにする消火回避処理を実行する。つまり、使用者の消し忘れにより燃焼式暖房部の連続動作期間が長時間になっているのではないことを確保した上で、燃焼式暖房部の動作が継続される。
加えて、運転制御手段は、上記自動消火処理が実行されることを回避する指令を指令受付手段が使用者から受け付けることで上記所定のタイミングになったと判定すると、燃焼式暖房部のバーナーでの単位時間当たりの燃料ガスの消費量を変化させる燃料消費変化処理を実行する。つまり、燃焼式暖房部の連続動作期間が長時間になった段階で燃料消費変化処理を実行しておくことで、マイコンメーターにおいて「継続使用時間オーバー」と判定されることを回避できる。
【００２１】
本発明に係るハイブリッド式ガスファンヒーターの更に別の特徴構成は、前記運転制御手段は、前記燃料消費変化処理では、当該燃料消費変化処理の実行前後での前記バーナーでの単位時間当たりの燃料ガスの消費量を所定の割合以上変化させることで前記所定の大小関係を満たすように、当該燃料消費変化処理の実行後の前記燃焼式暖房部の燃焼暖房出力及び前記電気式暖房部の電気暖房出力を決定する点にある。
【００２２】
上記特徴構成によれば、運転制御手段は、燃料消費変化処理の実行前後でのバーナーでの単位時間当たりの燃料ガスの消費量を所定の割合以上変化させることで上記所定の大小関係を満たすように、燃料消費変化処理の実行後の燃焼式暖房部の燃焼暖房出力及び電気式暖房部の電気暖房出力を決定する。つまり、マイコンメーターでは、燃料消費変化処理の実行前後で、燃料ガスの単位時間当たりの供給量が所定の割合以上変化したことを認識できる。従って、この燃料消費変化処理を実行することで、マイコンメーターにおいて「継続使用時間オーバー」と判定されることを回避できる。
【図面の簡単な説明】
【００２３】
【図１】ハイブリッド式ガスファンヒーターの外観を示す斜視図である。
【図２】ハイブリッド式ガスファンヒーターの縦断右側面図である。
【図３】ハイブリッド式ガスファンヒーターの縦断正面図である。
【図４】ハイブリッド式ガスファンヒーターの操作部を示す図である。
【図５】ハイブリッド式ガスファンヒーターの制御構成を示すブロック図である。
【図６】ハイブリッド式暖房での運転を説明するフローチャートである。
【図７】ガス流量変動制御のフローチャートである。
【発明を実施するための形態】
【００２４】
＜第１実施形態＞
以下、図面に基づいて、本発明の第１実施形態に係るハイブリッド式ガスファンヒーターについて説明する。
図１はハイブリッド式ガスファンヒーターの外観を示す斜視図であり、図２はハイブリッド式ガスファンヒーターの縦断右側面図であり、図３はハイブリッド式ガスファンヒーターの縦断正面図である。また、図４はハイブリッド式ガスファンヒーターの操作部を示す図であり、図５はハイブリッド式ガスファンヒーターの制御構成を示すブロック図である。図示するように、ハイブリッド式ガスファンヒーターは、燃料ガスを燃焼させるガスバーナー１（バーナーの一例）と、暖房対象空間の空気を取り入れ、その取り入れた空気とガスバーナー１の燃焼ガスとを混合して暖房対象空間に吹き出すように通風作用する燃焼式暖房用送風機２とを備えた燃焼式暖房部Ｈｆ、暖房対象空間の空気を取り入れ、その取り入れた空気を暖房対象空間に吹き出すように通風作用する電気式暖房用送風機３と、その電気式暖房用送風機３により通風される空気を加熱するシーズヒーター４（電気ヒーターの一例）とを備えた電気式暖房部Ｈｅ、運転を制御する運転制御部５（運転制御手段の一例）、及び、その運転制御部５に各種制御情報を送信する操作部６等を備えて構成されている。
【００２５】
この実施形態では、シーズヒーター４が、燃焼式暖房用送風機２の通風作用によって通風される通風領域に配置されて、燃焼式暖房用送風機２と電気式暖房用送風機３とに共用される共用送風機７が設けられている。
【００２６】
以下、ハイブリッド式ガスファンヒーターの各部について、説明を加える。尚、以下の説明において、左右、前後、上下の方向を用いて各部材の形状、各部材の配置関係等を説明するに当たっては、左右、前後及び上下の各方向は、図１〜図３の各図中で各部材に対応する方向として説明する。
図１〜図３に示すように、吸気口８及び温風吹出口９が設けられた本体ケース１０内に、上流側が吸気口８に連通し、且つ、下流側が温風吹出口９に連通する温風通風路１１が設けられ、その温風通風路１１内に、ガスバーナー１を備えた燃焼ユニットＵが燃焼ガスを温風通風路１１に対して吹き出し可能に配設されている。本体ケース１０は、前後方向の寸法が左右方向の寸法よりも小さい薄型形状に構成され、温風吹出口９は、その本体ケース１０の前面下部に設けられ、吸気口８は、その本体ケース１０の後面における高さ方向において温風吹出口９の上縁部よりも上方の位置に設けられている。吸気口８には、塵埃を捕捉するためのエアフィルタ２４が設けられている。
【００２７】
燃焼ユニットＵは、ガスバーナー１と、そのガスバーナー１の炎孔１ｈから噴出される燃料ガスを燃焼させる燃焼室１２とを備えて構成される。ガスバーナー１は、ブンゼン燃焼式であり、燃料供給路１５を通じて供給される燃料ガスを噴出するガスノズル１ｎ、そのガスノズル１ｎから燃料ガスが噴出されると共に、その燃料ガスの噴出に伴う吸引作用により一次燃焼用空気が供給される混合管１ｐ、及び、混合管１ｐから供給される混合気を噴出する複数の炎孔１ｈを列状に備えたガスバーナー本体１ｍ等を備えて構成されている。ガスバーナー本体１ｍは、左右方向に長い細長状に構成されて、その内部空間に混合管１ｐから混合気が供給されるように、混合管１ｐの上方に連通状態で接続され、このガスバーナー本体１ｍの上面部に、左右方向に沿って、複数の炎孔１ｈが列状に形成されている。
【００２８】
この実施形態では、燃焼室１２として、下方に下段用空気取入口１３Ａを備え且つ上方に下段用燃焼ガス吹出口１４Ａを備えた下段燃焼室１２Ａと、下方に上段用空気取入口１３Ｂを備え且つ上方に上段用燃焼ガス吹出口１４Ｂを備えた上段燃焼室１２Ｂとが、下段用燃焼ガス吹出口１４Ａを上段燃焼室１２Ｂ内に臨ませた状態で、上下方向に並べて設けられている。そして、下段燃焼室１２Ａにおいて、ガスバーナー１の炎孔１ｈから噴出される燃料ガスを下段用空気取入口１３Ａから導入される二次燃焼用空気により一次燃焼させ、上段燃焼室１２Ｂにおいて、下段用燃焼ガス吹出口１４Ａから燃焼ガスと共に導入される未燃の燃料ガスを上段用空気取入口１３Ｂから導入される二次燃焼用空気にて二次燃焼させるように構成されて、ガスバーナー１が２段階燃焼型に構成されている。
【００２９】
上段燃焼室１２Ｂを内部に形成する上段燃焼室形成体１６は、前後方向の寸法が左右方向の寸法よりも小さい薄型で、横断面形状が左右方向に長い矩形状となる箱状に構成され、後面の下部に、左右方向に長い細長状で後方向きの連通用開口部１７が設けられ、上面部に、左右方向に長い細長状の上段用燃焼ガス吹出口１４Ｂが設けられている。この上段燃焼室形成体１６の底部は、左右方向視での縦断面形状で、概略Ｖ字状の樋状になるように構成されている。
【００３０】
下段燃焼室１２Ａを内部に形成する下段燃焼室形成体１８は、左右方向の寸法が上段燃焼室形成体１６と同等で、前後方向の寸法及び高さが上段燃焼室形成体１６よりも小さい細長の直方体形の箱状に構成され、その下段燃焼室形成体１８の下面部に、ガスバーナー１のガスバーナー本体１ｍを挿入させる細長状（左右方向に長い）のガスバーナー挿通孔１９と、そのガスバーナー挿通孔１９の前後夫々に位置させた細長状（左右方向に長い）の下段用空気取入口１３Ａとが備えられ、上面部に、細長状（左右方向に長い）の下段用燃焼ガス吹出口１４Ａが備えられている。そして、炎孔１ｈの並び方向を左右方向に沿わせた姿勢で、ガスバーナー本体１ｍをガスバーナー挿通孔１９に挿入させた状態で、ガスバーナー１を下段燃焼室形成体１８に支持させる。
【００３１】
上段燃焼室形成体１６の内部において、連通用開口部１７のやや上方で、且つ、前後方向の略中央に位置させて、ガスバーナー１を支持した下段燃焼室形成体１８が、その長手方向を上段燃焼室形成体１６の長手方向に沿わせた姿勢で配設されている。そして、上段燃焼室形成体１６の内部における下段燃焼室形成体１８の前方、上方及び後方にわたる領域が、上段燃焼室１２Ｂとされ、上段燃焼室形成体１６の前壁部の内面と下段燃焼室形成体１８の前壁部の下端縁にて形成される細長状（左右方向に長い）の開口部、及び、上段燃焼室形成体１６の後壁部の内面と下段燃焼室形成体１８の後壁部の下端縁にて形成される細長状（左右方向に長い）の開口部夫々が、上段用空気取入口１３Ｂとして用いられる。
【００３２】
上述のように構成された燃焼ユニットＵが、その連通用開口部１７を吸気口８における上下方向の下寄りの中間箇所に臨ませた状態で、本体ケース１０の内部に配設されている。本体ケース１０内に、温風通風路１１を形成する通風路形成体２０が、吸気口８の上縁部から燃焼ユニットＵの上方を覆う状態で前方に延びて下向きに屈曲し、更に、燃焼ユニットＵの前方を覆う状態で下方に延びて、温風吹出口９の上縁部に連なる形態で設けられている。そして、通風路形成体２０により、温風通風路１１が、燃焼ユニットＵの上方を前方に延びて下方に屈曲し、更に、燃焼ユニットＵの前方を下方に延びる形態に区画形成される。
【００３３】
更に、左右方向視での縦断面形状が山形状の分流板２１が、燃焼ユニットＵと通風路形成体２０との間の温風通風路１１を上下方向に２分するように、それらの間に位置させた状態で、本体ケース１０内に設けられている。
【００３４】
共用送風機７は、回転軸芯に直交する方向に吸い込み並びに送風作用する羽根体７ｆと、その羽根体７ｆを回転軸芯で回転駆動するファン駆動用モータ７ｍとを備えたクロスフローファンにて構成されている。本体ケース１０内に、送風機７の羽根体７ｆを収容するファンケース２２が、吸気口８の下端縁と温風吹出口９の下端縁とにわたって設けられている。ファンケース２２は、左右方向視での縦断面形状が概略半円状となる細長状の樋状であり、その後方側に、径方向外方に延びる板状縁部２２ｅが備えられている。
【００３５】
このようなファンケース２２が、長手方向を左右方向に沿わせた姿勢で、その開口部を斜め上前向きに向けて、通風路形成体２０の下端部と上段燃焼室形成体１６の下端部とにより形成される斜め下後ろ向きの開口部に対向させた姿勢で、後端縁（板状縁部２２ｅの端縁）を吸気口８の下端縁に接続し、且つ、前端縁を温風吹出口９の下端縁に接続した状態で、本体ケース１０内に設けられている。そして、上段燃焼室形成体１６の樋状底部における後方側の後倒れ状の板状部分と、ファンケース２２の後方の板状縁部２２ｅとにより、吸気口８を、下段燃焼室１２Ａ及び上段燃焼室１２Ｂを迂回して温風通風路１１に連通させるバイパス風路２３が構成される。
【００３６】
共用送風機７の羽根体７ｆが、回転軸芯を左右方向に沿わせてファンケース２２内に位置させた状態で、回転自在に支持されている。そして、ファン駆動用モータ７ｍにより羽根体７ｆを回転駆動することにより、共用送風機７の吸引作用が、温風通風路１１の下流側に対して作用すると共に、バイパス風路２３に作用するように構成されている。
【００３７】
シーズヒーター４は、２本の直線状部４ｐを平行状態に備えた形態のＵ字状に屈曲され、そのＵ字状のシーズヒーター４が、各直線状部４ｐの長手方向を左右方向に沿わせた姿勢で、上段燃焼室１２Ｂ内における上段燃焼室形成体１６の後壁部と下段燃焼室形成体１８の後壁部との間の空気の通流域に配置されている。
【００３８】
次に、２段階燃焼型のガスバーナー１の燃焼形態、及び、そのガスバーナー１による温風の生成形態について説明する。
共用送風機７を作動させることにより、温風通風路１１を通して、吸気口８及び上段用燃焼ガス吹出口１４Ｂに吸引作用し、上段用燃焼ガス吹出口１４Ｂ、上段燃焼室１２Ｂ、上段用空気取入口１３Ｂ及び連通用開口部１７を介して吸気口８に吸引作用すると共に、上段用燃焼ガス吹出口１４Ｂ、上段燃焼室１２Ｂ、下段用燃焼ガス吹出口１４Ａ、下段燃焼室１２Ａ、下段用空気取入口１３Ａ及び連通用開口部１７を介して吸気口８に吸引作用し、並びに、バイパス風路２３を通して吸気口８に吸引作用する。すると、吸気口８から取り入れられた空気は、直接、温風通風路１１の上流端に導入され、並びに、連通用開口部１７を介して、下段用空気取入口１３Ａから下段燃焼室１２Ａ内に二次燃焼用空気として導入されると共に、上段用空気取入口１３Ｂから上段燃焼室１２Ｂ内に二次燃焼用空気として導入され、更には、バイパス風路２３を通って、下段燃焼室１２Ａ及び上段燃焼室１２Ｂを迂回して温風通風路１１に導入される。
【００３９】
ガスバーナー１の複数の炎孔１ｈから噴出された混合気は、下段燃焼室１２内において、下段用空気取入口１３Ａから導入された二次燃焼用空気により一次燃焼して、一次火炎Ｆａが形成され、更に、その一次燃焼による燃焼ガス及び一次燃焼での未燃の燃料ガスが、下段用燃焼ガス吹出口１４Ａから上段燃焼室１２Ｂ内に吹き出され、上段燃焼室１２Ｂ内において、未燃の燃料ガスが上段用空気取入口１３Ｂから導入された二次燃焼用空気により二次燃焼して、二次火炎Ｆｂが形成される。そして、一次燃焼による燃焼ガス及び二次燃焼による燃焼ガスが上段用燃焼ガス吹出口１４Ｂから温風通風路１１に吹き出されて、吸気口８から直接温風通風路１１の上流端に導入された空気と混合されて温風が生成され、その温風が温風通風路１１を通風し、途中でバイパス風路２３を通して吸気口８から直接取り入れられた空気が混合されながら、温風吹出口９から本体ケース１０外に吹き出される。
【００４０】
また、シーズヒーター４を作動させることにより、上段燃焼室１２Ｂ内を通流する空気が加熱されることになる。つまり、上段燃焼室１２Ｂ内は、燃焼式暖房用送風機２としての共用送風機７の通風作用によって通風される通風領域であり、シーズヒーター４がこのような通風領域に配置されることになる。
【００４１】
次に、シーズヒーター４による温風の生成形態について説明する。
共用送風機７を作動させることにより、先に、ガスバーナー１による温風の生成形態について説明したのと同様に、温風通風路１１を通して、吸気口８及び上段用燃焼ガス吹出口１４Ｂに吸引作用し、上段用燃焼ガス吹出口１４Ｂ、上段燃焼室１２Ｂ、上段用空気取入口１３Ｂ及び連通用開口部１７を介して吸気口８に吸引作用すると共に、上段用燃焼ガス吹出口１４Ｂ、上段燃焼室１２Ｂ、下段用燃焼ガス吹出口１４Ａ、下段燃焼室１２Ａ、下段用空気取入口１３Ａ及び連通用開口部１７を介して吸気口８に吸引作用し、並びに、バイパス風路２３を通して吸気口８に吸引作用する。
すると、吸気口８から取り入れられた空気は、連通用開口部１７を介して、上段用空気取入口１３Ｂから上段燃焼室１２Ｂ内に導入されて、シーズヒーター４により加熱されたのち、下段用燃焼ガス吹出口１４Ａから吹き出される空気と混合されて、上段用燃焼ガス吹出口１４Ｂから温風通風路１１に吹き出され、吸気口８から直接温風通風路１１の上流端に導入された空気と混合されて温風が生成され、その温風が温風通風路１１を通風し、途中でバイパス風路２３を通して吸気口８から直接取り入れられた空気が混合されながら、温風吹出口９から本体ケース１０外に吹き出される。
【００４２】
図２に示すように、本体ケース１０内には、吸気口８から吸い込まれる空気の温度を室内温度として検出する室温センサ２５（本発明の温度測定手段の一例）が設けられている。ハイブリッド式ガスファンヒーターの過熱防止用として、通風路形成体２０の外面に、温風通風路１１内の温度を検出可能に通風路温度センサ２６が設けられ、並びに、通風路形成体２０からの伝熱により加熱可能に温度ヒューズ２７が設けられている。図３に示すように、ガスバーナー１にて形成される火炎（一次火炎Ｆａ）を検出する火炎センサ２８が設けられている。
【００４３】
更に、図３に示すように、燃料供給路１５には、ガスバーナー１への燃料ガスの供給を断続する燃料断続弁２９、及び、ガスバーナー１への燃料ガスの供給量を調整する燃料調整弁３０が設けられている。ちなみに、燃料断続弁２９は電磁弁にて構成され、燃料調整弁３０は比例電磁弁にて構成される。ガスバーナー１のガスバーナー本体１ｍの上方近傍に位置させて、ガスバーナー１に点火する点火器３１が設けられている。
【００４４】
図１に示すように、操作部６は、本体ケース１０の上面に設けられ、図４に示すように、その操作部６には、ハイブリッド式ガスファンヒーターの運転の開始及び停止を指令するメイン運転スイッチ４１、停止用時間条件が満たされると運転を停止するおやすみタイマー運転を設定するおやすみタイマースイッチ４２、開始用時間条件が満たされると運転を開始するおはようタイマー運転を設定するおはようタイマースイッチ４３、電気式暖房部Ｈｅによる暖房（以下、電気式暖房運転と記載する場合がある）の開始及び停止を指令する電気ヒーター運転スイッチ４４、暖房手段Ｈの動作の延長を指示するための延長スイッチ４５、暖房運転の目標温度、おやすみタイマー運転を実行させるおやすみタイマー時間、及び、おはようタイマー運転を開始させるまでの時間間隔等を設定する温度／時間設定スイッチ４６、燃焼式暖房部Ｈｆと電気式暖房部Ｈｅとの両方を同時に作動させるハイブリッド式暖房の運転を許可するハイブリッドスイッチ４７等が設けられている。
【００４５】
更に、操作部６には、ハイブリッド式ガスファンヒーターの運転中に点灯される運転ランプ５１、おやすみタイマー運転の設定中に点灯されるおやすみタイマーランプ５２、おはようタイマー運転の設定中に点灯されるおはようタイマーランプ５３、電気式暖房運転の実行中に点灯されるヒーター出力ランプ５４、自動消火処理を実行する予定である旨の情報を使用者に通知するときに点灯される延長ランプ５５、及び、温度／時間設定スイッチ４６にて設定された温度や時間を表示する温度／時間表示部５６、ハイブリッド式暖房の運転が許可されているときに点灯されるハイブリッドランプ５７等が設けられている。
【００４６】
尚、本実施形態では、電気ヒーター運転スイッチ４４は、シーズヒーター４の出力であるヒーター出力を複数段階（この実施形態では、強、弱の２段階）に設定するための出力切換スイッチとしても機能する。具体的には、電気ヒーター運転スイッチ４４がオン操作されていない状態では、二つのヒーター出力ランプ５４の何れもが消灯している。その状態で電気ヒーター運転スイッチ４４が押し操作（オン操作）されると、先ずはシーズヒーター４の出力が「弱」に設定されると共に、「弱」に対応するヒーター出力ランプ５４が点灯する。次に、電気ヒーター運転スイッチ４４が押し操作されると、シーズヒーター４の出力が「強」に設定されると共に、「強」に対応するヒーター出力ランプ５４が点灯する。その次に、電気ヒーター運転スイッチ４４が押し操作（オフ操作）されると、シーズヒーター４への通電が停止されると共に、両方のヒーター出力ランプ５４が消灯する。
【００４７】
次に、運転制御部５の制御動作について説明する。
図５に示すように、運転制御部５には、メイン運転スイッチ４１、おやすみタイマースイッチ４２、おはようタイマースイッチ４３、電気ヒーター運転スイッチ４４、延長スイッチ４５、温度／時間設定スイッチ４６、ハイブリッドスイッチ４７等の各種スイッチからの指令情報、並びに、室温センサ２５、通風路温度センサ２６及び火炎センサ２８等の各種センサの検出情報が入力される。
【００４８】
運転制御部５は、入力される各種スイッチからの指令情報及び各種センサの検出情報に基づいて、シーズヒーター４、点火器３１、ファン駆動用モータ７ｍ、燃料断続弁２９及び燃料調整弁３０等の各種機器、運転ランプ５１、おやすみタイマーランプ５２、おはようタイマーランプ５３、ヒーター出力ランプ５４、延長ランプ５５、ハイブリッドランプ５７等の各種ランプ、並びに、温度／時間表示部５６等の作動を制御することにより、ハイブリッド式ガスファンヒーターの運転を制御するように構成されている。
【００４９】
具体的には、運転制御部５は、燃焼式暖房部Ｈｆを作動させることによる燃焼式暖房運転、電気式暖房部Ｈｅを作動させることによる電気式暖房運転、燃焼式暖房部Ｈｆ及び電気式暖房部Ｈｅの同時作動を許可するハイブリッド暖房運転、停止用時間条件が満たされると運転を停止するおやすみタイマー運転、及び、開始用時間条件が満たされると運転を開始するおはようタイマー運転の各種運転を択一的に実行可能に構成されている。
また、運転制御部５は、おやすみタイマー運転及びおはようタイマー運転夫々において、ガスバーナー１を連続して燃焼させる時間が所定の許容連続燃焼運転時間に達すると、ガスバーナー１の燃焼を停止するように構成されている。ちなみに、許容連続燃焼運転時間は、暖房対象空間を換気することなく安全に燃焼式暖房部Ｈｆを連続して運転可能な上限時間に設定され、この実施形態では、例えば６０分に設定される。
【００５０】
以下、燃焼式暖房運転、電気式暖房運転、ハイブリッド式暖房運転の各運転について説明する。
【００５１】
〔燃焼式暖房運転〕
運転制御部５は、メイン運転スイッチ４１により運転の開始が指令されると、ファン駆動用モータ７ｍを作動させ、並びに、燃料断続弁２９及び燃料調整弁３０を開弁すると共に、点火器３１を作動させる点火処理を実行して、ガスバーナー１を燃焼させることにより、ガスバーナー１の燃焼ガスにより生成された温風を室内に吹き出す燃焼式暖房運転を開始し、運転ランプ５１を点灯する。
運転制御部５は、燃焼式暖房運転の実行中は、室温センサ２５の検出温度が温度／時間設定スイッチ４６にて設定された目標温度になるように、燃料調整弁３０の開度を調整してガスバーナー１の燃焼量を調整する燃焼制御を実行する。
【００５２】
運転制御部５は、燃焼式暖房運転の実行中に、メイン運転スイッチ４１が再度押されて運転の停止が指令されると、燃料断続弁２９及び燃料調整弁３０を閉弁すると共に、ファン駆動用モータ７ｍを停止する消火処理を実行して、ガスバーナー１を消火させることにより、燃焼式暖房運転を停止し、並びに、運転ランプ５１を消灯する。
また、運転制御部５は、燃焼式暖房運転の開始に伴って、消し忘れ防止のための自動消火処理タイマーを作動させ、燃焼式暖房部Ｈｆの連続動作期間が所定の上限連続動作期間に到達することで自動消火処理タイマーがタイムアップすると、自動消火処理を実行して燃焼式暖房運転を停止する。上限連続動作期間は、温度／時間設定スイッチ４６により、３時間、５時間、８時間のいずれかに設定することができる。
【００５３】
尚、運転制御部５は、燃焼式暖房運転の実行中に、通風路温度センサ２６の検出温度が予め設定された過熱防止用設定温度以上になったり、火炎センサ２８によりガスバーナー１の立ち消えが検出されると、消火処理を実行して燃焼式暖房運転を停止する。
【００５４】
〔電気式暖房運転〕
運転制御部５は、電気ヒーター運転スイッチ４４により電気式暖房運転の開始が指令されると、ファン駆動用モータ７ｍ及びシーズヒーター４を作動させることにより、電気式暖房運転を開始すると共に、ヒーター出力ランプ５４を点灯する。
また、運転制御部５は、電気ヒーター運転スイッチ４４が繰り返し押されると、ヒーター出力ランプ５４を全て消灯している状態から、電気ヒーター運転スイッチ４４が押されるに伴って、弱のヒーター出力に対応するヒーター出力ランプ５４を点灯する状態、強のヒーター出力に対応するヒーター出力ランプ５４を点灯する状態、全てのヒーター出力ランプ５４を消灯する状態に、ヒーター出力ランプ５４の制御状態を順次変化させる。
【００５５】
そして、運転制御部５は、電気式暖房運転の実行中は、ヒーター出力ランプ５４で点灯させている弱、強のいずれかのヒーター出力でシーズヒーター４を作動させるヒーター出力制御を実行することにより、定出力モードにて電気式暖房運転を実行する。
【００５６】
運転制御部５は、温度調整モードか定出力モードによる電気式暖房運転の実行中に、電気ヒーター運転スイッチ４４が再度押されて、電気式暖房運転の停止が指令されると、シーズヒーター４及びファン駆動用モータ７ｍの作動を停止して、電気式暖房運転を停止する。
また、運転制御部５は、電気式暖房運転の開始に伴って、自動消火処理タイマーを作動させ、自動消火処理タイマーがタイムアップすると、シーズヒーター４及びファン駆動用モータ７ｍの作動を停止して、電気式暖房運転を停止する。
尚、運転制御部５は、電気式暖房運転の実行中に、通風路温度センサ２６の検出温度が過熱防止用設定温度以上になると、シーズヒーター４及びファン駆動用モータ７ｍの作動を停止して、電気式暖房運転を停止する。
【００５７】
つまり、運転制御部５が、電気式暖房部Ｈｅを、室温を検出する室温センサ２５の検出温度が目標温度になるようにシーズヒーター４の出力を調整する温度調整モードか、シーズヒーター４を電気ヒーター運転スイッチ４４により設定されたヒーター出力で作動させる定出力モードで択一的に運転可能に構成されていることになる。
そして、電気ヒーター運転スイッチ４４が、ヒーター出力を複数段階（この実施形態では、強、弱の２段階）に設定可能に構成されていることになる。
【００５８】
〔ハイブリッド式暖房運転〕
運転制御部５は、ハイブリッドスイッチ４７がオン操作されてハイブリッド式暖房の運転が許可されている状態でメイン運転スイッチ４１により運転の開始が指令されると、ハイブリッド式暖房運転を開始する。このとき、運転制御部５は、ファン駆動用モータ７ｍを作動させ、並びに、燃料断続弁２９及び燃料調整弁３０を開弁すると共に、点火器３１を作動させる点火処理を実行して、ガスバーナー１を燃焼させることにより、ガスバーナー１の燃焼ガスにより生成された温風を室内に吹き出す燃焼式暖房運転を開始し、運転ランプ５１を点灯する。また、運転制御部５は、シーズヒーター４を作動させることにより、電気式暖房運転を開始すると共に、ヒーター出力ランプ５４を点灯する。
【００５９】
運転制御部５は、燃焼式暖房部Ｈｆ及び電気式暖房部Ｈｅを併用するハイブリッド式暖房において、室温センサ２５が測定する空気の温度が所定の目標温度となるように、室温センサ２５が測定する空気の温度と目標温度との温度差に基づいて、暖房手段Ｈの目標暖房出力を最低暖房出力と最高暖房出力との間から決定する出力決定処理を行い、出力決定処理において決定した目標暖房出力を発揮するように暖房手段Ｈを動作させる。
【００６０】
本実施形態では、以下の表１に示すように、暖房手段Ｈの暖房出力は、１段目（０．５２ｋＷ）〜１０段目（３．６４ｋＷ）の間の何れかの段階の出力に調節される。具体的には、運転制御部５は、暖房手段Ｈの目標暖房出力が最低暖房出力（１段目：０．５２ｋＷ）と最高暖房出力（１０段目：３．６４ｋＷ）との間の所定の中途暖房出力（７段目：２．４４ｋＷ）以下のとき、電気式暖房部Ｈｅのシーズヒーター４が動作せず、且つ、燃焼式暖房部Ｈｆのガスバーナー１が最低燃焼暖房出力（０．５２ｋＷ）と最高燃焼暖房出力（２．４４ｋＷ）との間の所定の燃焼暖房出力を発揮するように動作する状態で暖房手段Ｈを動作させる。これに対して、運転制御部５は、暖房手段Ｈの目標暖房出力が上記中途暖房出力（７段目：２．４４ｋＷ）より大きいとき、燃焼式暖房部Ｈｆのガスバーナー１が最高燃焼暖房出力（２．４４ｋＷ）を発揮するように動作し、且つ、電気式暖房部Ｈｅのシーズヒーター４が最低電気暖房出力（０．４０ｋＷ）と最高電気暖房出力（１．２０ｋＷ）との間の所定の電気暖房出力を発揮するように動作する状態で暖房手段Ｈを動作させる。
【００６１】
燃焼式暖房部Ｈｆのガスバーナー１の燃焼暖房出力は、ガスバーナー１への単位時間当たりの燃料ガスの供給量を調節することで変化させることができる。運転制御部５は、各燃焼暖房出力に対応する供給燃料量を記憶しており、燃料調整弁３０の弁開度をその供給燃料量に対応する開度に調節することで、ガスバーナー１への単位時間当たりの燃料ガスの供給量を調節できる。電気式暖房部Ｈｅのシーズヒーター４の電気暖房出力は、シーズヒーター４への通電量を調節することで変化させることができる。運転制御部５は、各電気暖房出力に対応する通電量を記憶しており、例えばトライアック等の半導体素子を用いることで、シーズヒーター４への通電量を調節できる。また、運転制御部５は、暖房手段Ｈの暖房出力に応じた出力で送風機７を運転させる。
【００６２】
【表１】
0006675920.tif 000002
【００６３】
図６は、第１実施形態のハイブリッド式暖房での運転を説明するフローチャートである。
運転制御部５は、ハイブリッドスイッチ４７がオン状態に切り替えられた状態で運転スイッチがオン操作されると、ハイブリッド式暖房での暖房手段Ｈの運転が指示されたと判断する。そして、工程＃１０において運転制御部５は、暖房手段Ｈの動作を開始する。本例では、工程＃１０において運転制御部５は、暖房手段Ｈの目標暖房出力を最高暖房出力（１０段目：３．６４ｋＷ）に設定した状態で、暖房手段Ｈの動作を開始する。つまり、運転制御部５は、燃焼式暖房部Ｈｆのガスバーナー１が最高燃焼暖房出力（２．４４ｋＷ）を発揮するように動作し、且つ、電気式暖房部Ｈｅのシーズヒーター４が最高電気暖房出力（１．２０ｋＷ）を発揮するように動作する状態で暖房手段Ｈを動作させる。これにより、暖房対象空間の温度が素早く上昇することになる。
【００６４】
加えて、運転制御部５は、燃焼式暖房部Ｈｆの運転開始とともに自動消火処理のタイマーのカウントを実行する、この自動消火処理は、燃焼式暖房部Ｈｆの連続動作期間が例えば８時間等の所定の上限連続動作期間になると、運転制御部５が燃焼式暖房部Ｈｆの動作を自動的に停止させる機能である。
【００６５】
その後、工程＃１１において運転制御部５は、室温センサ２５が測定する暖房対象空間の空気の温度が、温度／時間設定スイッチ４６にて設定された目標温度に到達したか否かを判定する。そして、運転制御部５は、暖房対象空間の空気の温度が目標温度に未だ到達していないならば工程＃１１を再び実行し、暖房対象空間の空気の温度が目標温度に到達しているならば工程＃１２に移行する。
このように、本実施形態において運転制御部５は、暖房手段Ｈの動作開始の直後は、暖房対象空間の温度が目標温度に到達するまで、暖房手段Ｈの目標暖房出力を最高暖房出力（１０段目：３．６４ｋＷ）に設定した状態で、その暖房手段Ｈを動作させる。
【００６６】
工程＃１２において運転制御手段は、暖房対象空間の空気の温度（室温）が「目標温度＋１℃」よりも高いか否かを判定する。そして、運転制御部５は、暖房対象空間の空気の温度（室温）が「目標温度＋１℃」以下の場合には工程＃１４に移行し、暖房対象空間の空気の温度（室温）が「目標温度＋１℃」よりも高い場合には工程＃１３に移行する。
【００６７】
工程＃１３において運転制御部５は、暖房手段Ｈの目標暖房出力を決定する出力決定処理を行う。つまり、暖房対象空間の空気の温度（室温）が「目標温度＋１℃」よりも高い状態というのは、暖房手段Ｈの暖房出力が過剰である状態と見なすことができる。そこで、工程＃１３において運転制御部５は、暖房手段Ｈの暖房出力を減少側に変化させる調節を行う。具体的には、運転制御部５は、暖房手段Ｈの現在の暖房出力よりも１段階下の暖房出力を新たな目標暖房出力として暖房手段Ｈを動作させる。例えば、運転制御部５は、暖房手段Ｈの現在の目標暖房出力が１０段目（３．６４ｋＷ）であれば、次に９段目（３．２４ｋＷ）を新たな目標暖房出力として暖房手段Ｈを動作させる。このとき、運転制御部５は、燃焼式暖房部Ｈｆのガスバーナー１の燃焼暖房出力を２．４４ｋＷにさせ、電気式暖房部Ｈｅのシーズヒーター４の電気暖房出力を０．８０ｋＷにさせる状態で暖房手段Ｈを動作させる。
このように、工程＃１３において運転制御部５は、室温センサ２５が測定する空気の温度と目標温度との温度差に基づいて、暖房手段Ｈの暖房出力を減少側に変化させる調節を行うことで、室温センサ２５が測定する暖房対象空間の室温が目標温度に近付くことを期待できる。
【００６８】
工程＃１４において運転制御部５は、暖房対象空間の空気の温度（室温）が「目標温度−１℃」よりも低いか否かを判定する。そして、運転制御部５は、暖房対象空間の空気の温度（室温）が「目標温度−１℃」以上の場合には工程＃１６に移行し、暖房対象空間の空気の温度（室温）が「目標温度−１℃」よりも低い場合には工程＃１５に移行する。
【００６９】
工程＃１５において運転制御部５は、暖房手段Ｈの目標暖房出力を決定する出力決定処理を行う。つまり、暖房対象空間の空気の温度（室温）が「目標温度−１℃」よりも低い状態というのは、暖房手段Ｈの暖房出力が過少である状態と見なすことができる。そこで、工程＃１５において運転制御部５は、暖房手段Ｈの暖房出力を増加側に変化させる調節を行う。具体的には、運転制御部５は、暖房手段Ｈの現在の暖房出力よりも１段階上の暖房出力を新たな目標暖房出力として暖房手段Ｈを動作させる。例えば、運転制御部５は、暖房手段Ｈの現在の目標暖房出力が８段目（２．８４ｋＷ）であれば、次に９段目（３．２４ｋＷ）を新たな目標暖房出力として暖房手段Ｈを動作させる。このとき、運転制御部５は、燃焼式暖房部Ｈｆのガスバーナー１の燃焼暖房出力を２．４４ｋＷにさせ、電気式暖房部Ｈｅのシーズヒーター４の電気暖房出力を０．８０ｋＷにさせる状態で暖房手段Ｈを動作させる。
このように、工程＃１３において運転制御部５は、室温センサ２５が測定する空気の温度と目標温度との温度差に基づいて、暖房手段Ｈの暖房出力を増加側に変化させる調節を行うことで、室温センサ２５が測定する暖房対象空間の室温が目標温度に近付くことを期待できる。
【００７０】
次に、工程＃１６において運転制御部５は、運転スイッチがオフ操作されたか否かを判定する。そして、運転制御部５は、運転スイッチがオフ操作された場合には工程＃１７に移行して暖房手段Ｈの運転を停止させる。これに対して、運転制御部５は、運転スイッチがオフ操作されていない場合には、暖房手段Ｈの運転を継続して、工程＃１２に移行する。
【００７１】
図７は、ガス流量変動制御のフローチャートである。
工程＃２０において運転制御部５は、自動消火処理のタイマーのカウント、即ち、燃焼式暖房部Ｈｆの連続動作期間を参照して、その自動消火処理実行の５分以内であるか否かを判定する。そして、運転制御部５は、自動消火処理実行の５分以内である場合には工程＃２１に移行し、自動消火処理実行の５分以内ではない場合には工程＃２０を繰り返し行う。
【００７２】
工程＃２１において運転制御部５は、燃焼式暖房部Ｈｆの連続動作期間が所定の上限連続動作期間（８時間等）に到達する所定時間前（５分前等）に、燃焼式暖房部Ｈｆの動作を停止させる自動消火処理を実行する予定である旨の情報を使用者に通知する予告処理を実行する。本実施形態では、運転制御部５は、延長ランプ５５を点滅させ、及び、ブザー５８を鳴動させることで、ハイブリッド式ガスファンヒーターの使用者に対して予告処理を実行する。
【００７３】
次に工程＃２２において運転制御部５は、使用者から暖房手段Ｈ（燃焼式暖房部Ｈｆ，電気式暖房部Ｈｅ）の動作に関する指令を受け付ける指令受付手段としての延長スイッチ４５が押し操作されたか否かを判定する。そして、運転制御部５は、延長スイッチ４５が押し操作された場合には工程＃２３に移行して、後述する燃料消費変化処理と消火回避処理とを実行し、その後、工程＃２０に移行する。これに対して、運転制御部５は、予告処理が実行された後、燃焼式暖房部Ｈｆの連続動作期間が上限連続動作期間に到達するまでの間に、延長スイッチ４５が押し操作されないままで、自動消火処理のタイマーが上限連続動作期間（例えば８時間等）のタイムアップに至ると（工程＃２４で「Ｙｅｓ」）、工程＃２５に移行して、燃焼式暖房部Ｈｆの動作を停止させる自動消火処理を実行する。つまり、運転制御部５は、予告処理が実行された後、燃焼式暖房部Ｈｆの連続動作期間が上限連続動作期間に到達するまでの間に、自動消火処理が実行されることを回避する指令を延長スイッチ４５が使用者から受け付けないと、燃焼式暖房部Ｈｆの連続動作期間が上限連続動作期間に到達したとき、燃焼式暖房部Ｈｆの動作を停止させる自動消火処理を実行する。
【００７４】
工程＃２３において運転制御部５は、燃焼式暖房部Ｈｆのガスバーナー１での単位時間当たりの燃料ガスの消費量を変化させる燃料消費変化処理と、燃焼式暖房部Ｈｆの連続動作期間が上限連続動作期間（例えば８時間等）に到達しても自動消火処理を実行しないようにする消火回避処理とを実行する。
以下、燃料消費変化処理及び消火回避処理について説明する。
【００７５】
〔燃料消費変化処理〕
運転制御部５は、燃料消費変化処理では、その燃料消費変化処理の実行前後でのガスバーナー１での単位時間当たりの燃料ガスの消費量が所定の大小関係を満たし、且つ、その燃料消費変化処理の実行後での暖房手段Ｈの暖房出力がその燃料消費変化処理の実行前での暖房手段Ｈの暖房出力に対して所定範囲内になるように、燃料消費変化処理の実行後の燃焼式暖房部Ｈｆの燃焼暖房出力及び電気式暖房部Ｈｅの電気暖房出力を決定する。つまり、ハイブリッド式ガスファンヒーターに燃料ガスを供給するマイコンメーターが、燃料ガスが長時間変動なく流れ続けたことによる「継続使用時間オーバー」が発生したと認識しないように、ガスバーナー１での単位時間当たりの燃料ガスの消費量を意図的に変動させる。具体的には、運転制御部５は、燃料消費変化処理の実行前後でのガスバーナー１での単位時間当たりの燃料ガスの消費量を所定の割合以上変化させる（例えば１分間当たりの消費量を５％以上変化させる）ことで、実行前後での燃料ガスの消費量が所定の大小関係を満たすように、燃料消費変化処理の実行後の燃焼式暖房部Ｈｆの燃焼暖房出力及び電気式暖房部Ｈｅの電気暖房出力を決定する。
【００７６】
表２及び表３には、暖房手段Ｈの暖房出力（Ｇ１）を一定に維持したままでガスバーナー１での燃料ガスの単位時間当たりの燃焼量を変化させるときの燃焼式暖房部Ｈｆの燃焼暖房出力及び電気式暖房部Ｈｅの電気暖房出力の例を示す。例えば、燃料消費変化処理の実行前に暖房手段Ｈの出力段数が７段目（２．４４ｋＷ）であったとき、その時点でのガスバーナー１のガス消費量は０．１９０７（ｍ3／時）である。この場合、暖房手段Ｈの暖房出力（２．４４ｋＷ）を維持したままで、電気式暖房部Ｈｅの電気暖房出力を１．２０ｋＷにすると、燃焼式暖房部Ｈｆに要求される燃焼暖房出力は１．２４ｋＷになる。そして、この燃焼暖房出力は、ガスバーナー１のガス消費量が０．０９６９（ｍ3／時）のときに得られる値に対応する。運転制御部５が、この燃料消費変化処理を５分間かけて徐々に実行すれば、燃料消費変化処理の実行前後でのガスバーナー１での単位時間当たりの燃料ガスの消費量は５分間での変動率で４９％になる。従って、燃料消費変化処理の実行前後でのガスバーナー１での単位時間当たりの燃料ガスの消費量は所定の割合以上変化（例えば１分間当たりの消費量で５％以上変化）しており、且つ、燃料消費変化処理の実行後での暖房手段Ｈの暖房出力がその燃料消費変化処理の実行前での暖房手段Ｈの暖房出力に対して所定範囲内（例えば５％以内）になるため、燃料消費変化処理として適切である。同様に、表３に示した全ての場合は、燃料消費変化処理として適切である。
【００７７】
【表２】
0006675920.tif 000003
【００７８】
【表３】
0006675920.tif 000004
【００７９】
このように、上記の例では、運転制御部５は、燃料消費変化処理において、燃焼式暖房部Ｈｆの燃焼暖房出力を低下させると共に電気式暖房部Ｈｅの電気暖房出力を上昇させることで、燃料消費変化処理の実行後での暖房手段Ｈの暖房出力を、実行前での暖房手段Ｈの暖房出力に対して所定範囲内にさせている。
【００８０】
そして、運転制御部５は、工程＃２３において、燃焼式暖房部Ｈｆの燃焼暖房出力を低下させると共に電気式暖房部Ｈｅの電気暖房出力を上昇させた状態を例えば５分間継続させた後で工程＃２６に移行する。
そして、工程＃２６において運転制御部５は、燃焼式暖房部Ｈｆの燃焼暖房出力及び電気式暖房部Ｈｅの電気暖房出力を、燃料消費変化処理の実行前の状態に戻す復帰処理を実行する。
【００８１】
尚、燃料消費変化処理において燃焼式暖房部Ｈｆの燃焼暖房出力を変化させ及び電気式暖房部Ｈｅの電気暖房出力を変化させる過程で、シーズヒーター４への通電量の変化に伴うその温度変化は、ガスバーナー１への燃料ガスの供給量の変化に伴う燃焼熱の変化に比べて遅い。そのため、その温度変化の時間差を考慮せずに、シーズヒーター４への通電量の変化とガスバーナー１への燃料ガスの供給量の変化とを短時間で同時に実施すると、シーズヒーター４への通電量の変化に伴うその温度変化が遅れる分だけ吹き出される温風の温度が安定しない恐れがある。ところが本実施形態では、運転制御部５は、電気式暖房部Ｈｅが有するシーズヒーター４の温度変化の速度に合わせて、燃焼式暖房部Ｈｆが有するガスバーナー１への燃料供給量の変化の速度を調節するために、燃料消費変化処理を５分間かけて段階的に実行している。そのため、燃料消費変化処理において燃焼式暖房部Ｈｆの燃焼暖房出力及び電気式暖房部Ｈｅの電気暖房出力の夫々が増減するとしても、ハイブリッド式ガスファンヒーターから吹き出される温風の温度が大きく増減しないようにできる。また、送風機７の運転音の変化をできるだけ少なくできる。
【００８２】
〔消火回避処理〕
運転制御部５は、自動消火処理のタイマーのカウントをゼロにリセットする。つまり、運転制御部５は、予告処理が実行された後、燃焼式暖房部Ｈｆの連続動作期間が上限連続動作期間に到達するまでの間に、自動消火処理が実行されることを回避する指令を延長スイッチ４５が使用者から受け付けることで所定のタイミングになったと判定すると、燃料消費変化処理と燃焼式暖房部Ｈｆの連続動作期間が上限連続動作期間に到達しても自動消火処理を実行しないようにする消火回避処理とを実行する。そして、使用者の消し忘れにより燃焼式暖房部Ｈｆの連続動作期間が長時間になっているのではないことを確保した上で、燃焼式暖房部Ｈｆの動作が継続されると共に、その後で燃焼式暖房部Ｈｆの連続動作期間が上限連続動作期間（例えば８時間等）に到達しても自動消火処理が行われなくなる。
【００８３】
以上のように、運転制御部５は、燃焼式暖房部Ｈｆの動作中に所定のタイミングになると、燃焼式暖房部Ｈｆのガスバーナー１での単位時間当たりの燃料ガスの消費量を変化させる燃料消費変化処理を実行する。この燃料消費変化処理では、燃料消費変化処理の実行前後でのガスバーナー１での単位時間当たりの燃料ガスの消費量が所定の大小関係を満たすので、ハイブリッド式ガスファンヒーターへ供給される燃料ガスの単位時間当たりの流量もその所定の大小関係を満たした状態で変化する。つまり、マイコンメーターでは、燃料消費変化処理の実行前後で、燃料ガスの単位時間当たりの供給量が所定の大小関係を満たした状態で変化したことを認識できる。従って、この燃料消費変化処理を実行することで、マイコンメーターにおいて「継続使用時間オーバー」と判定されることを回避できる。
【００８４】
加えて、運転制御部５は、燃料消費変化処理の実行後での暖房手段Ｈの暖房出力が燃料消費変化処理の実行前での暖房手段Ｈの暖房出力に対して所定範囲内になるように、燃料消費変化処理の実行後の燃焼式暖房部Ｈｆの燃焼暖房出力及び電気式暖房部Ｈｅの電気暖房出力を決定する。つまり、燃料消費変化処理を行って燃焼式暖房部Ｈｆのガスバーナー１での単位時間当たりの燃料ガスの消費量（即ち、燃焼式暖房部Ｈｆでの燃焼暖房出力）が変化しても、それに応じて電気式暖房部Ｈｅの電気暖房出力も変化させることで、燃焼式暖房部Ｈｆの燃焼暖房出力と電気式暖房部Ｈｅの電気暖房出力との合計である暖房手段Ｈの暖房出力の変化を所定範囲内に抑制できる。従って、使用者の快適性が損なわれることがない。
【００８５】
＜第２実施形態＞
上記実施形態では、運転制御部５が、自動消火処理が実行されることを回避する指令を延長スイッチ４５が使用者から受け付けることで所定のタイミングになったと判定する例を説明したが、他の場合に所定のタイミングになったと判定してもよい。
【００８６】
具体的には、運転制御部５は、延長スイッチ４５が押し操作されたか否かとは無関係に、燃焼式暖房部Ｈｆの動作中にその連続動作期間が例えば５時間に到達する等の所定のタイミングになると上記燃料消費変化処理を実行してもよい。
【００８７】
＜別実施形態＞
＜１＞
上記実施形態では、本発明のハイブリッド式ガスファンヒーターの構成について具体例を挙げて説明したが、その構成は適宜変更可能である。
上記実施形態では、燃焼式暖房部Ｈｆのバーナーとして、燃料ガスを燃焼するガスバーナー１を用いる例を説明したが、石油等の液体燃料を燃料とするバーナーを用いてもよい。また、上記実施形態では、電気ヒーターの具体例としてシーズヒーター４を説明したが、ニクロム線ヒーター、石英管ヒーター、セラミックヒーター、カーボンヒーター等、種々のヒーターを用いてもよい。
他にも、電気式暖房部Ｈｅのシーズヒーター４の設置位置は、上記実施形態で説明した位置に限定されるものではなく、例えば、温風通風路１１内やバイパス風路２３内でも良い。
更に、上記実施形態では、燃焼式暖房用送風機２と電気式暖房用送風機３とに共用される共用送風機７を設ける例を説明したが、燃焼式暖房用送風機２と電気式暖房用送風機３とを別個に配置して、シーズヒーター４を電気式暖房用送風機３の通風作用によって通風される通風領域に配置しても良い。
【００８８】
＜２＞
上記実施形態では、運転制御部５は、燃料消費変化処理において、燃焼式暖房部Ｈｆの燃焼暖房出力を低下させると共に電気式暖房部Ｈｅの電気暖房出力を上昇させる例を説明したが、それとは逆に、燃料消費変化処理において、燃焼式暖房部Ｈｆの燃焼暖房出力を上昇させると共に電気式暖房部Ｈｅの電気暖房出力を低下させることで、当該燃料消費変化処理の実行後での暖房手段Ｈの暖房出力を、実行前での暖房手段Ｈの暖房出力に対して所定範囲内にさせてもよい。
【００８９】
＜３＞
上記実施形態では、燃料消費変化処理の実行前後でのガスバーナー１での単位時間当たりの燃料ガスの消費量が１分間当たりで５％以上変化すれば所定の大小関係を満たすと判定され、燃料消費変化処理の実行後での暖房手段Ｈの暖房出力がその燃料消費変化処理の実行前での暖房手段Ｈの暖房出力に対して５％以内であれば所定範囲内になると判定される例を説明したが、それらの割合は単に例示目的で記載したものであり適宜変更できる。
例えば、燃料消費変化処理の実行前後でのガスバーナー１での単位時間当たりの燃料ガスの消費量が１分間当たりで５％以上変化していなくても、燃料消費変化処理の実行後での燃料ガスの消費量が２分間ゼロであれば所定の大小関係を満たすと判定するような変更も可能である。
【００９０】
＜４＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００９１】
本発明は、使用者の快適性を損なうことなく、燃焼式暖房部での燃料ガスの燃焼がマイコンメーターによって「継続使用時間オーバー」と認識されないようにできるハイブリッド式ガスファンヒーターに利用できる。
【符号の説明】
【００９２】
１  ガスバーナー（バーナー）
２  燃焼式暖房用送風機
３  電気式暖房用送風機
４  シーズヒーター（電気ヒーター）
５  運転制御部（運転制御手段）
７  共用送風機
４５  延長スイッチ（指令受付手段）
Ｈ  暖房手段
Ｈｅ  電気式暖房部
Ｈｆ  燃焼式暖房部
【図１】
0006675920.tif 000005
【図２】
0006675920.tif 000006
【図３】
0006675920.tif 000007
【図４】
0006675920.tif 000008
【図５】
0006675920.tif 000009
【図６】
0006675920.tif 000010
【図７】
0006675920.tif 000011